(57)【要約】【課題】軟包装品を収納し輸送するケース内に敷設するパットであって、該ケースの側面及び底面を２重構造にするとともに、側面隅角部に、補強のための柱（コーナーポスト）を簡単に形成することができるコーナーパット兼用底パットを提案する。【解決手段】ケースの内底と相似形状のパット本体と、該本体の対向する一対の両端辺に、それぞれ梱包ケースの両側板と同一高さで、側板よりも狭幅の一対の矩形の内側板を連接し、また各内側板の左右両側縁に一対の両袖片を連接する。  梱包ケースの内底にパット本体を敷いた際に、前記一対の内側板は本体に対して直角に屈曲し、また前記左右一対の袖片は、同ケースの隣り合う側体間に形成される隅角部に、断面三角形のコーナー補強ポストを形成するように両側板に跨るように係止させる。【選択図】  図１
2008001396.tif 000002
【特許請求の範囲】
【請求項１】
梱包ケースの内底に敷く紙製底パットであって、
同ケースの内底と相似形状の矩形状または角切りをしたほぼ八角形状の本体と、該本体の対向する一対の両端辺に、それぞれ梱包ケースの両側板と同一高さで、側板よりも狭幅の一対の矩形の内側板を連接し、また各内側板の左右両側縁に一対の両袖片を連接して成り、梱包ケースの内底に本体を敷いた際に、前記一対の内側板は本体に対して直角に屈曲し、また前記左右一対の袖片は、同ケースの隣り合う側体間に形成される隅角部に、断面三角形のコーナー補強ポストを形成するように両側板に跨るように係止されることを特徴とする紙製底パット。
【請求項２】
請求項1に記載の底パットをＪＩＳ-０２０１形式のケースの底に挿入するように載置し、同ケースの隣合う側体間に形成される隅角部に、接着不要のコーナー補強ポストを形成するようにしたこと特徴とする梱包ケース。
【発明の詳細な説明】
【技術分野】
【０００１】
この発明は、接着不要のコーナー補強用底パットおよび該パットを使用したケースに関する。特に、化粧品や薬剤品等の軟包装品（例えばスタンディングパウチと呼ばれる包装袋）を輸送するケースに好適に使用される底パットであって、該ケースの側面及び底面を２重構造にするとともに、側面隅角部に、補強用ポストを簡単に形成することができるコーナー補強を兼ねる底パットに関する。
【背景技術】
【０００２】
洗剤や化粧品、薬剤品、調味料、その他詰め替え用の液体・粉体等が充填された軟包装品を収納し輸送するケースとして、例えば、特許文献１〜４の包装箱の発明が従来から知られている。
【０００３】
これらの従来の包装箱は、段ボール等からなる箱の側面隅角部に、箱の耐圧強度を向上させるためのコーナー補強柱が設けられている。このコーナー補強柱は、多くが断面三角形をした構造である。またこのコーナー補強柱は側面パネルまたは妻面パネルに一体に接着固定されていて、主に輸送時、保管の際の段積み時、陳列時などにおいて、箱側面や妻面に加わる内圧や高さ方向の荷重により生ずる箱の胴膨れや歪等の変形を防止する作用を営むものである。
【特許文献１】特許第３６６６７９２号明細書
【特許文献２】特許第２５８５０６６号明細書
【特許文献３】特開２０００−１９０９４９号明細書
【特許文献４】特開平成７−３１５４３６号明細書
【発明の開示】
【発明が解決しようとする課題】
【０００４】
しかるに特許文献１〜４の包装箱はいずれも箱本体とコーナー補強柱とが一体に形成されていた。すなわちコーナー補強柱を含む箱全体がワンピース（1枚）の段ボールブランクによって作られており、箱の組立て時に、コーナー補強柱形成用パネルを断面三角形に折り曲げて側面パネルまたは妻面パネルの内側に接着するため、包装箱の組立には特別の機械（製函マシン）を使用しないと組立てることができなかった。
【０００５】
さらに詳言すれば、箱の形式が汎用のＪＩＳ-０２０１形式の包装箱（業界でＡ式箱と呼ばれ外装箱に最も使用されている箱）でなく、コーナー補強柱形成用パネルが箱本体の側面パネルまたは妻面パネルの延長上に一体に連接されている特殊仕様の包装箱である。またコーナー補強柱と側面パネルまたは妻面パネルとは接着剤で一体に固定されるから、専用の製函マシンを持っていない工場で組立てることができなかった。さらにまた、コーナー補強柱を箱本体と異なる材質の材料で作成できなかった。従って包装材料費、組立費などランニングコストも高くつく難点があった。
【０００６】
上記の難点に加え、販売店等で開梱した使用済みの包装箱を、その店頭で解体し廃棄する際にも、従来のものは前述のようにコーナー補強柱と側面パネルまたは妻面パネルとは接着剤で一体に固定されていたので、解体作業が容易でなく手間がかかっていた。
【０００７】
本発明は、上述した従来技術の課題を克服するものである。すなわち、本発明は軟包装品を収納し輸送するケース内に敷設するパットであって、該ケースの側面及び底面を２重構造にするとともに、側面隅角部に、補強のための柱（コーナーポスト）を簡単に形成することができるコーナーパット兼用底パットを提案する。
【課題を解決するための手段】
【０００８】
上記の課題を達成するため、請求項１の本発明は、梱包ケースの内底に敷く段ボール等紙製底パットであって、
同ケースの内底と相似形状の矩形状または角切りをした八角形状の本体と、該本体の対向する一対の両端辺に、それぞれ梱包ケースの両側板と同一高さで、側板よりも狭幅の一対の矩形の内側板を連接し、また各内側板の左右両側縁に一対の両袖片を連接して成り、梱包ケースの内底にパット本体を敷いた際に、前記一対の内側板は本体に対して直角に屈曲し、また前記一対の袖片は、同ケースの隣合う側体間に形成される隅角部に、断面三角形のコーナー補強ポストを形成するように両側板に跨るように係止されることを特徴とする紙製底パットである。
【０００９】
請求項２の発明は、請求項1に記載の底パットをＪＩＳ-０２０１形式のケースの底に挿入するように載置し、同ケースの隣合う側体間に形成される隅角部に接着不要の三角形のコーナー補強ポストを形成するようにしたことを特徴としている。
【発明の効果】
【００１０】
本発明のパットは、ケースに対する接着が全く不要であり、かつ該ケースの側面及び底面を２重構造にするとともに、側面隅角部に、補強のための柱（コーナーポスト）を形成することができるから、液体・粉体等が充填された軟包装品を密に収納する梱包ケースとして、或いは陳列するときに多段に積み上げ大きな積圧が掛かるケースとして使用して有用である。
また梱包ケースは、専用の機械を使用しなくても手作業で簡単に組立てることができる。
また本発明の梱包ケースは、パットがケース本体に接着されていないから使用前後のパットの抜き差しが容易で、ケースの解体廃棄を簡単に行うことができる。
本発明によれば、コーナー補強柱を箱本体と異なる材質の材料で作成でき包装材料費、組立費を安くできる効果も奏する。
【発明を実施するための最良の形態】
【００１１】
次に本発明の実施の形態について、図面を参照し説明する。図１は、この発明の梱包ケースの一実施例を示す分解斜視図である。図２（Ａ）は、図1のケース内に敷設するパットの展開図であり、図２（Ｂ）は、図１のケース本体の展開図である。図３（Ａ〜Ｃ）は、図１のパットがケース本体に挿入される状態を示す説明図である。図４は、図１のケースの開梱状態を示す斜視図である。
【００１２】
ケース本体１０は、図２（Ｂ）に示すように汎用のＪＩＳ-０２０１形式の包装箱（業界でＡ式箱と呼ばれ外装箱に最も使用されている箱）の段ボールシートなどの厚紙素材からなるブランクシートから組み立てられる。このブランクシートは、図に示すように一対の長側板１１ａ、１１ｂと一対の短側板１２ａ，１２ｂを交互に横方向に連接し、それら各一対の側板の上下縁にそれぞれ底また蓋となる外フラップ１４ａ、１４ｂまたは１６ａ，１６ｂと内フラップ１５ａ，１５ｂまたは１７ａ、１７ｂを連接してなり、長側板１１ａの一端に設けた繋ぎしろ１３により前記４枚の側板で４角筒状に組み立てることで、ケース本体の胴部を構成することができる。
【００１３】
また上記ブランクシートにおいて、胴部を構成する一対の長側板１１ａ、１１ｂと一対の短側板１２ａ，１２ｂおよび繋ぎしろ１３の内面下部には、一連のカットテープ１８が接合されている。さらにこのカットテープ１８にそって本体胴部を破断する際に、テープ端を容易に摘めるように、一対の長側板１１ａ、１１ｂには、つまみ部形成の切込み１９ａ，１９ｂが形成されている。またその切込みを基点とし、各長側板１１ａ、１１ｂの両側部を上方に延び、この長側板１１ａ、１１ｂと蓋となる外フラップ１４ａ，１４ｂとの間の罫線の両端近傍に至る一対の切れ目線２０ａ、２０ｂが形成されている。
【００１４】
一方、図２（Ａ）に示す展開状態のコーナー補強用底パット１は、４角筒状に組み立てるケース本体の胴部に挿入できるように、ケース本体内寸とほぼ同等の形状に、段ボール等の紙シートにより形成されている。すなわちパット本体２は、同ケースの内底に敷設できるように略同形状に形成するか、図示のように４隅部を角切りをした八角形状に形成する。この本体２の対向する一対の両端辺に、それぞれ梱包ケースの両短側板１２ａ，１２ｂと同一高さで、該側板よりも狭幅の一対の矩形の内側板３ａ、３ｂを連接し、また各内側板の左右両側縁に一対の両袖片４ａ，４ｂが連接されている。
【００１５】
図３に示すように、この底パット1は、汎用の製函マシンで組み立てられたケースの内底に人手で敷くことができる。その際に、前記一対の内側板３ａ、３ｂがパット本体２に対して直角に屈曲し、また前記一対の袖片４ａ，４ｂは、前記一対の内側板３ａ、３ｂに対して折れ曲がり、同ケースの隣合う側板１１ａ、１２ａまたは１１ｂ，１２ｂ間に形成される隅角部に、断面三角形のコーナー補強を形成するように両側板１１ａ、１２ａまたは１１ｂ，１２ｂに跨るように係止される。換言すると、底パット本体でコーナー補強パットが固定されるから、従来のようなコーナーポストをケースに接着する必要がない。
【００１６】
以上のように底パット1が挿入されたケース本体１０内に、スタンディングパウチのような液体・粉体等が充填された軟質袋や積圧に弱い商品や自立できない商品を収納して、ケース上部を封緘すると、ケースの輸送時、あるいは保管時、陳列時にケースを多段積みしたときにも、該ケースの側面及び底面が２重構造になっているとともに、ケース側面隅角部に、補強のための柱（コーナーポスト）が形成されているから、ケースの耐圧強度が向上して、胴膨れ、歪等の変形を防止することが可能である。
【００１７】
次に本発明のケースの開梱方法の一例を説明する。
図４に示すように、この発明のケースは、胴部を構成する一対の長側板１１ａ、１１ｂをカットテープ１８により上下に破断し、蓋となる外フラップ１４ａ，１４ｂとの間の罫線の両端近傍に至る一対の切れ目線２０ａ、２０にそって切り取ることにより、簡単にケースの側面に大きな開口を形成することができるので店頭ディスプレイ性は高く、側面からの商品の取出しが容易に行える。また、開口からケース内に手を差し入れることにより底面パットごと三角形のコーナー補強ポストの取出しが可能であるから、商品取り出しのみならず、使用後の廃棄が容易に行えるものである。
【図面の簡単な説明】
【００１８】
【図１】本発明の梱包ケースの一実施例を示す分解斜視図である。
【図２】（Ａ）は、図1のケース内に敷設するパットの展開図であり、（Ｂ）は、図１のケース本体の展開図である。
【図３】（Ａ〜Ｃ）は、図１のパットがケース本体に挿入される状態を示す説明図である。
【図４】図１のケースの開梱状態を示す斜視図である。
【符号の説明】
【００１９】
１  コーナー補強用底パット
２  パット本体
３ａ、3ｂ  内側板
４ａ、4ｂ  袖片
１０  ケース本体
１１ａ、１１ｂ  長側板
１２ａ，１２ｂ  短側板
１３  繋ぎしろ
１４ａ，１４ｂ，１６ａ，１６ｂ  外フラップ
１５ａ，１５ｂ、１７ａ、１７ｂ  内フラップ
１８  カットテープ
１９ａ，１９ｂ  つまみ部形成用切り込み
２０ａ，２０ｂ  切れ目線
【図１】
2008001396.tif 000003
【図２】
2008001396.tif 000004
【図３】
2008001396.tif 000005
【図４】
2008001396.tif 000006